(57)【要約】      （修正有）【課題】空間部の上端側が傾斜又は円弧状である場合に最適にネット又はシート等の吊張体を吊り張り移動、及び収納移動することができ、さらに、空間部に適切に広げて吊り張りすることができる巻取方式のウインチを用いたネット又はシート等の吊張体の吊張／収納移動システムを提供する。【解決手段】巻取方式のウインチ１０を用いたネット又はシート等の吊張体１２の吊張／収納移動システムにおいて、空間上部側の傾斜又は円弧状に応じて、ネット又はシート等の吊張体１２の上端側を隣り合うワイヤロープ等の紐状体１１間で拡開調整するとともにネット又はシート等の吊張体１２の側面側を別体のワイヤロープ等の紐状体１１に沿って広げながら吊張移動し／ネット又はシート等の吊張体１２の上端側を隣り合うワイヤロープ等の紐状体１１間で縮閉調整してネット又はシート等の吊張体１２を収納移動する。【選択図】図１
2011036608.tif 000002
【特許請求の範囲】
【請求項１】
空間部の所望の箇所に設置された複数台の巻取方式のウインチの巻回ドラムを回転駆動し、巻回ドラムに巻回されたワイヤロープ等の紐状体を巻回移動し、ワイヤロープ等の紐状体に取り付けられたネット又はシート等の吊張体を空間上部側の傾斜又は円弧状に沿って吊張移動／空間上部側より収納移動する巻取方式のウインチを用いたネット又はシート等の吊張体の吊張／収納移動システムにおいて、空間上部側の傾斜又は円弧状に応じて、ネット又はシート等の吊張体の上端側を隣り合うワイヤロープ等の紐状体間で拡開調整するとともにネット又はシート等の吊張体の側面側を別体のワイヤロープ等の紐状体に沿って広げながら吊張移動し／ネット又はシート等の吊張体の上端側を隣り合うワイヤロープ等の紐状体間で縮閉調整してネット又はシート等の吊張体を収納移動することを特徴とする巻取方式のウインチを用いたネット又はシート等の吊張体の吊張／収納移動システム。
【請求項２】
空間部の所望の箇所に設置された複数台の巻取方式のウインチの巻回ドラムを回転駆動し、巻回ドラムに巻回されたワイヤロープ等の紐状体を巻回移動し、ワイヤロープ等の紐状体に取り付けられたネット又はシート等の吊張体を空間上部側の傾斜又は円弧状に沿って吊張移動／空間上部側より収納移動する巻取方式のウインチを用いたネット又はシート等の吊張体の吊張／収納移動システムにおいて、空間上部側の傾斜又は円弧状に応じて、ネット又はシート等の吊張体の上端側を複数に分割された連結具を介してワイヤロープ等の紐状体に連結することで各連結具間の距離を拡開調整するとともに、該ネット又はシート等の吊張体の上端側に沿って設けられた別体のワイヤロープ等の紐状体を側面側に引っ張って広げながら吊張移動し／連結具間の距離を縮閉調整しながらネット又はシート等の吊張体を収納移動することを特徴とする巻取方式のウインチを用いたネット又はシート等の吊張体の吊張／収納移動システム。
【発明の詳細な説明】
【技術分野】
【０００１】本発明は、ワイヤロープ等の紐状体を巻回する巻取方式のウインチを用いて空間上部側の傾斜又は円弧状に沿ってネット又はシート等の吊張体を吊張移動し、該空間上部側よりネット又はシート等の吊張体を収納移動する巻取方式のウインチを用いたネット又はシート等の吊張体の吊張／収納移動システムに関する。
【背景技術】
【０００２】屋内外で所望の空間部を有する施設として、大空間部を有する多目的屋内施設や、ゴルフ練習施設等がある。【０００３】多目的屋内施設においては、その使用目的に応じて空間部内をネットで間仕切りしたり、空間部の外周に沿ってネットを吊り張りして防球用として使用し、空間部を使用しないとき、又は他の目的で使用するときはネットを空間部の上部側に折り畳んで収納、又は取り外して収納する。また、ゴルフ練習施設においては、空間部の外周に設けられた支柱に沿って防球用としてネットを囲むように吊り張りし、風の強い日には支柱に沿って下方側にネットを下降移動することで風の影響を避ける。【０００４】一般に上記空間に吊張りしたり、収納したりするのに適したネットの吊張移動システムは、ネットの上端側を水平に維持し、該ネットの上端側に設けられた複数のワイヤロープをそれぞれウインチで同量巻き取り又は引出し移動することで、ネットを吊張り及び収納する。この場合空間部の上部側の傾斜又は円弧状部分には固定式のネットを取り付けることで、空間部全体を間仕切り等している。【０００５】しかし上記固定式のネット部分は開閉移動ができないために、空間部の使用目的によっては固定式のネット部分を取り外さなければならず、その作業が煩雑であり、また、作業の安全性の面においても多くの欠点があった。【０００６】そこで、傾斜又は円弧状部分に沿って吊張移動するシステムが考えられた。【０００７】第１のシステムは、ウインチによりエンドレス状に移動するワイヤーを傾斜又は円弧状部分に沿って移動し、該ワイヤーに天頂部との高さ方向の距離に対応して長さを調整した複数の吊り張り用ワイヤーを連結し、ワイヤーを移動することで吊り張り用ワイヤー移動して、ネットを吊り張りするシステム（特開２００５−４６５９５）であり、第２のシステムは、複数の巻取方式のウインチを用いて、天頂部との高さ方向の距離に応じて各ワイヤーの長さを調整し、該ワイヤーに設けられたネットを吊り張りするシステム（特開２００７−４４４５４）である。
【発明が解決しようとする課題】
【０００８】しかしながら、空間部の上部側が傾斜又は円弧状である場合は、各ワイヤー間で上端側のネットの幅と下端側のネットの幅が相違するために、ネットを上端側へ収納移動すると、ネットの下端側が適切に収納することができない欠点があった。
【０００９】また、ネットを下降移動して収納する場合もネットの上端側と下端側との幅が相違すると、スムーズな各ワイヤーの引き出し移動ができないという欠点があった。
【００１０】さらに、上記理由により再度ネットを吊り張りすると、ネットの両側面側が中央部分に引っ張られるために、ネットを広げた状態で吊り張りできない欠点があった。
【００１１】また、ネットの荷重のために各ワイヤーにおける天頂部との高さ方向の距離の調整は、微調整を頻繁に行わなければならずその作業及びメンテナンスが煩雑であるという欠点があった。
【００１２】また、ワイヤーを直接ネットに連結しているために、ワイヤー移動時にネットが磨耗し易く、ネットの消耗が激しいという欠点があった。
【００１３】また、ネットは、網目に沿って収縮する性質があるために、吊り張りしたネットの下端側が十分に広がらずに手でネットを引っ張って広げているが大空間部に使用するネットはその面積が広く、手及び錘でネットを引っ張っるには限界があった。
【００１４】そこで、本発明は、空間部の上部側が傾斜又は円弧状である場合に最適にネット又はシート等の吊張体を吊り張り移動、及び収納移動することができ、さらに、空間部に適切に広げて吊り張りすることができる巻取方式のウインチを用いたネット又はシート等の吊張体の吊張／収納移動システムを提供することを課題とする。
【課題を解決するための手段】
【００１５】本発明は上記課題を解決するための巻取式ウインチを用いたネット又はシート等の吊張体の移動システムの第１の解決手段は、請求項１に記載のように、空間部の所望の箇所に設置された複数台の巻取方式のウインチの巻回ドラムを回転駆動し、巻回ドラムに巻回されたワイヤロープ等の紐状体を巻回移動しワイヤロープ等の紐状体に取り付けられたネット又はシート等の吊張体を空間上部側の傾斜又は円弧状に沿って吊張移動／空間上部側より収納移動する巻取方式のウインチを用いたネット又はシート等の吊張体の吊張／収納移動システムにおいて、空間上部側の傾斜又は円弧状に応じて、ネット又はシート等の吊張体の上端側を隣り合うワイヤロープ等の紐状体間で拡開調整するとともにネット又はシート等の吊張体の側面側を別体のワイヤロープ等の紐状体に沿って広げながら吊張移動し／ネット又はシート等の吊張体の上端側を隣り合うワイヤロープ等の紐状体間で縮閉調整してネット又はシート等の吊張体を収納移動することを特徴とする。
【００１６】上記課題を解決するための巻取式ウインチを用いたネット又はシート等の吊張体の移動システムの第２の解決手段は、請求項２に記載のように、空間部の所望の箇所に設置された複数台の巻取方式のウインチの巻回ドラムを回転駆動し、巻回ドラムに巻回されたワイヤロープ等の紐状体を巻回移動し、ワイヤロープ等の紐状体に取り付けられたネット又はシート等の吊張体を空間上部側の傾斜又は円弧状に沿って吊張移動／空間上部側より収納移動する巻取方式のウインチを用いたネット又はシート等の吊張体の吊張／収納移動システムにおいて、空間上部側の傾斜又は円弧状に応じて、ネット又はシート等の吊張体の上端側を複数に分割された連結具を介してワイヤロープ等の紐状体に連結することで各連結具間の距離を拡開調整するとともに、該ネット又はシート等の吊張体の上端側に沿って設けられた別体のワイヤロープ等の紐状体を側面側に引っ張って広げながら吊張移動し／連結具間の距離を縮閉調整しながらネット又はシート等の吊張体を収納移動することを特徴とする。
【発明の作用・効果】
【００１７】次に、本発明の巻取方式のウインチを用いたネット又はシート等の吊張体の吊張／収納移動システムの作用及び効果について記載する。
【００１８】先ず、請求項１の吊張／収納移動システムは、上部側が傾斜又は円弧状の空間部に複数台の巻取式ウインチを間隔を設けて設置し、その後各巻取式ウインチの巻回ドラムをそれぞれ制御した状態で回転駆動して巻回ドラムよりワイヤロープ等の紐状体を上方側より床面下方側へ下降すべく引き出し移動して、各隣り合う各ワイヤロープ等の紐状体間のネット又はシート等の吊張体の上端側を所望の長さを調整して取り付ける。
【００１９】そして、ネット又はシート等の吊張体の両側面側をワイヤロープ等の紐状体に取り付ける。
【００２０】上記状態で、ネット又はシート等の吊張体を吊り張りする場合は、上記各ウインチを回転駆動して巻回ドラムにワイヤロープ等の紐状体を所望量巻き取ることで、ネット又はシート等の吊張体を上方に吊り張り移動するとともにネット又はシート等の吊張体の両側面を別体のワイヤロープ等の紐状体に沿って移動することで、ネット又はシート等の吊張体を広げた状態で空間部に吊り張りすることができる。
【００２１】この際、ネット又はシート等の吊張体の上端側は隣り合う各ワイヤロープ等の紐状体間で傾斜又は円弧状部分に応じて拡開調整しながら吊り張り移動するために、ネット又はシート等の吊張体を空間部の形状に応じて適切に吊り張りできる。
【００２２】次に、上記ネット又はシート等の吊張体を収納して空間部を開放する場合は、各ウインチを回転駆動して巻回ドラムにワイヤロープ等の紐状体を引き出し移動することで、ネット又はシート等の吊張体の両側面を別体のワイヤロープ等の紐状体に沿って移動しながらネット又はシート等の吊張体を下方に移動することができる。
【００２３】この際、ネット又はシート等の吊張体の上部側の隣り合う各ワイヤロープ等の紐状体間はネット又はシート等の吊張体間を縮閉調整しながら下降移動するために、ネット又はシート等の吊張体の上端側を略水平状態にしながら、スムーズに下方側へ移動し、ワイヤロープ等の紐状体より取り外すことができ、ネット又はシート等の吊張体の収納を容易に行うことができる。
【００２４】次に請求項２の吊張／収納移動システムについて説明する。該システムは、上部側が傾斜又は円弧状の空間上部部側に複数台の巻取式ウインチを間隔を設けて設置し、その後各巻取式ウインチの巻回ドラムをそれぞれ制御した状態で回転駆動して巻回ドラムよりワイヤロープ等の紐状体を上方側より床面下方側へ下降すべく引き出し移動して、隣り合う各ワイヤロープ等の紐状体間に上端側を複数に分割された連結具を介してネット又はシート等の吊張体の上端部を取り付ける。
【００２５】そして、ネット又はシート等の吊張体の上端側に沿って別体のワイヤロープ等の紐状体を取り付ける。
【００２６】次に、ネット又はシート等の吊張体を吊り張りする場合は、上記各ウインチを回転駆動して巻回ドラムにワイヤロープ等の紐状体を所望量巻き取り移動することで、ネット又はシート等の吊張体を空間部の上方側の傾斜又は円弧状部分に移動する。
【００２７】この際、ネット又はシート等の吊張体の上端側は隣り合う各ワイヤロープ等の紐状体間のネット又はシート等の吊張体間を連結具間で拡開調整しながら傾斜又は円弧状部分に沿って吊り張りすることができる。
【００２８】そして、ネット又はシート等の吊張体の上端側に設けられた別体のワイヤロープ等の紐状体を両側より引っ張ることで、ネット又はシート等の吊張体の上端側を傾斜又は円弧状部分に沿って広げ空間部に適切に吊り張りする。
【００２９】次に、ネット又はシート等の吊張体を収納して空間部を開放する場合は、各ウインチを回転駆動して巻回ドラムにワイヤロープ等の紐状体を引き出し移動することで、ネット又はシート等の吊張体を下方に移動する。
【００３０】この際、ネット又はシート等の吊張体の上端側の隣り合う各ワイヤロープ等の紐状体間はネット又はシート等の吊張体間は連結具間を縮閉調整しながらネット又はシート等の吊張体の上端側を別体のワイヤロープ等の紐状体を緩めることで、ネット又はシート等の吊張体を略水平状態として、スムーズに下方側へ移動し、ワイヤロープ等の紐状体より取り外すことで、ネット又はシート等の吊張体を収納することができる。
【００３１】このように、本発明の巻取方式のウインチを用いたネット又はシート等の吊張体の吊張〜収納移動システムは、あらゆる空間部の上方側の傾斜又は円弧状部分に沿って容易にネット又はシート等の吊張体を吊り張り移動することができる。
【００３２】また、ネット又はシート等の吊張体の両側面側が中央部分に引っ張られることなく適切に広げた状態で吊り張りすることができる。
【００３３】また、ネット又はシート等の吊張体の上端側の拡縮により天頂部との高さ方向の距離の調整が容易に行え、従来の吊張移動システムに比しメンテナンスを頻繁に行う必要がない。
【００３４】さらに、ネット又はシート等の吊張体の収納時においても、その下降移動がスムーズに且つ容易に行うことができる。
【発明を実施するための最良の実施の形態】
【００３５】以下、本発明の巻取方式のウインチを用いたネット又はシート等の吊張体の吊張／収納移動システムの一実施例について下記のような図面を用いて説明する。
【００３６】図１は本発明の巻取方式のウインチを用いたネット又はシート等の吊張体の吊張移動システムの第１の実施例を示す概略全体説明図であり、図２ははネット又はシート等の吊張体の収納移動を示す概略正面説明図であり、図３、図４はネット又はシート等の吊張体の側面側の引張手段の他実施例を示す概略説明正面図であり、図５は本発明の巻取方式のウインチを用いたネット又はシート等の吊張体の吊張移動システムのフローチャートを示し、図６、図７、図８は本発明の巻取方式のウインチを用いたネット又はシート等の吊張体の吊張移動システムの他実施例を示す概略全体説明図である。
【００３７】本発明の巻取方式のウインチを用いたネット又はシート等の吊張体の吊張／収納移動システムの第１の実施例について説明する。
【００３８】天頂側が円弧状の空間部の上端側位置に所望の間隔を開けて複数台の巻取方式のウインチ１０を設置し、該ウインチ１０の巻回ドラム（図示せず）に巻回されたワイヤロープ等の紐状体１１にネット又はシート等の吊張体１２を取り付ける。
【００３９】上記の巻取方式のウインチ１０は、基本的にウインチ本体と駆動源とから構成され、ウインチ本体には駆動源に連結（直接的／間接的）し回転駆動（手動電動又はアシスト電源で回転駆動する構成等その駆動手段は目的に応じて自在に選択することができる）する駆動軸と、該駆動軸に設けられた巻回ドラムが設けられている。
【００４０】上記吊張体１２の取り付けは、複数の連結具１３にリング体等を用いて吊張体１２の上端側に一定の間隔を開けて取り付ける。前記連結具１３間は調整用ワイヤー１４で長さ調整可能に連結され、吊張り移動時は、連結具１３間を拡開（連結具１３間を拡げながら、連結具１３間が開くように）しながら、円弧状に応じた長さに調整し、収納時は、連結具１３間を縮閉（連結具１３間を縮めながら、連結具１３間が閉じるように）しながら、略水平状態で下降移動して収納する。
【００４１】吊張体１２の両側面は、空間部に垂直に取り付けられた拡張用ワイヤー１５にリング体１６を介して取り付け、常に拡げた状態で昇降移動することができる。
【００４２】上記各ウインチ１０はそれぞれ制御盤（図示せず）で制御された状態で駆動するが、紐状体１１の長さ調整がすでにできているために、始動と停止等の時間制御等の簡易な制御で対応することができる。
【００４３】吊張体１２は、上部側が円弧状になる場合は下部側に比し距離があり吊り張り時と、収納時とで連結具１３間の距離で自在に調整することですべての円弧面に沿って適切に吊り張り／収納できる。
【００４４】上記のように構成された本発明の巻取方式のウインチを用いたネット又はシート等の吊張体の吊張／収納移動システムを使用する場合について説明する。
【００４５】先ず、所望の空間部の形状等に応じて、設置するウインチ１０の吊張体１２の大きさ及び形状を確認後、空間部の上部側に複数のウインチ１０を設置し、各ウインチ１０の巻回ドラムを回転駆動し巻回ドラムに巻回された紐状体１１をそれぞれ引き出し移動し、天井側に取り付けられた複数の滑車２０を介してさらに床面側まで引き出し移動する。
【００４６】その後、それぞれの紐状体１１を複数の連結具１３間に設けられた調整用ワイヤー１４に連結し、該連結具１３にリング体等を介して吊張体１２の上端側を連結する。この際、連結具１３間は吊張体１２の上端側が一定の間隔を有して設けることで、隣り合う連結具１３間が拡開すると吊張体１２の上端側が引っ張られるように拡がることとなる。
【００４７】そして、上記吊張体１２の両側面を拡張用ワイヤー１５に連結体１６を介して取り付けることで吊張体１２の両側面を引っ張った状態で広げながら移動することができる。
【００４８】次に、各ウインチ１０を駆動して紐状体１１を所望量巻き取り移動することで、吊張体１２を拡張用ワイヤー１５で拡げた状態で空間部に上昇移動する。
【００４９】この際、吊張体１２の上端側は、上部側の円弧状に応じて隣り合う連結具１３間の調整用ワイヤー１４を紐状体１１で引っ張りながら該連結具１３間を拡開（拡げながら開くように）しながら空間部に沿って吊り張りすることができる。
【００５０】次に、吊張体１２を収納する場合は、各ウインチ１０を駆動して紐状体１１を所望量引き出し移動することで、吊張体１２を拡張用ワイヤー１５で拡げた状態で空間部を下方側に収納移動する。
【００５１】この際、上記連結具１３間は吊張体１２の上端側の長さと下端側の長さとが相違するために、下降時に吊張体１２の上端側の長さを縮小しながら下端側の長さと略同じ長さにするように縮閉しながら下降移動するために、吊張体１２の上端側を略水平状態としながらスムーズに下降移動して収納することができる。
【００５２】このように、本発明の巻取方式のウインチを用いたネット又はシート等の吊張体の吊張／収納移動システムを利用すると、空間部の上部側の形状に応じて吊張体１２を最適に吊り張りすることができる。
【００５３】また、吊張体１２の吊張／収納移動において、常に吊張体１２を拡げた状態で移動することができるのでスムーズな移動を可能とする。
【００５４】また、上記実施例では吊張体１２の側面側は拡張用ワイヤー１５に連結体１６を介して取り付けることで、吊張体１２を拡げたが、本発明において吊張体１２の側面を拡げるのに、吊張体１２の上端側に引張用ワイヤー２３を取り付け、両端側で該引張用ワイヤー２３を引っ張ることで、吊張体１２をひろげることも可能である。
【００５５】又、上記実施例では、紐状体１１を複数の連結具１３間の調整用ワイヤー１４に連結することで連結具１３間の拡開／縮閉調整したが、本発明において紐状体１１の取り付けはこれに限定されるものでなく、例えば、紐状体１１を分割された連結具１３に直接連結し、該連結具１３間に調整用ワイヤー１４を設けることで連結具１３間を拡開／縮閉調整することも可能であり、また、連結具１３を設けることなく、調整用ワイヤー１４を円弧状等の形状に応じて所望の間隔で直接吊張体１２の上端側に設けることで、紐状体１１間を拡開／縮閉調整することも可能であり、また、吊張体１２の上端側に沿って調整用ワイヤー１４を設けることで紐状体１１を連結した調整用ワイヤー１４間を拡開／縮閉調整することも可能である。
【図面の簡単な説明】
【００５６】
【図１】本発明の巻取方式のウインチを用いたネット又はシート等の吊張体の吊張移動システムの第１の実施例を示す概略全体説明図
【図２】ネット又はシート等の吊張体の収納移動を示す概略正面説明図
【図３】ネット又はシート等の吊張体の側面側の引張手段の他実施例を示す概略説明正面図
【図４】ネット又はシート等の吊張体の側面側の引張手段の他実施例を示す概略説明正面図
【図５】本発明の巻取方式のウインチを用いたネット又はシート等の吊張体の吊張移動システムのフローチャート
【図６】本発明の巻取方式のウインチを用いたネット又はシート等の吊張体の吊張移動システムの他実施例を示す概略全体説明図
【図７】本発明の巻取方式のウインチを用いたネット又はシート等の吊張体の吊張移動システムの他実施例を示す概略全体説明図
【図８】本発明の巻取方式のウインチを用いたネット又はシート等の吊張体の吊張移動システムの他実施例を示す概略全体説明図
【符号の説明】
【００５７】１１…ウインチ、１１…紐状体、１２…吊張体
【図１】
2011036608.tif 000003
【図２】
2011036608.tif 000004
【図３】
2011036608.tif 000005
【図４】
2011036608.tif 000006
【図５】
2011036608.tif 000007
【図６】
2011036608.tif 000008
【図７】
2011036608.tif 000009
【図８】
2011036608.tif 000010
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
空間部の上端側位置に所望の間隔を空けて設置された複数台の巻取方式のウインチの巻回ドラムを回転駆動し、巻回ドラムに巻回されたワイヤロープ等の紐状体を上部側に取り付けられた滑車を介して巻回移動し、ワイヤロープ等の紐状体に取り付けられたネット又はシート等の吊張体を空間上部側の傾斜又は円弧状に沿って床面側より上昇して吊張移動する及び空間上部側より床面側に収納移動する巻取方式のウインチを用いたネット又はシート等の吊張体の吊張及び収納移動システムにおいて、空間上部側の傾斜又は円弧状に応じてウインチを制御した状態で駆動しネット又はシート等の吊張体の上端側の隣り合うワイヤロープ等の紐状体の間で吊張体の上端側を拡開調整するとともにネット又はシート等の吊張体の側面側を別体のワイヤロープ等の紐状体に沿って広げながら吊張移動し及びネット又はシート等の吊張体の上端側を隣り合うワイヤロ−プ等の紐状体の間で吊張体の上端側を縮閉調整してネット又はシート等の吊張体を収納移動することを特徴とする巻取方式のウインチを用いたネット又はシート等の吊張体の吊張及び収納移動システム。
【請求項２】
空間部の上端側位置に所望の間隔を空けて設置された複数台の巻取方式のウインチの巻回ドラムを回転駆動し、巻回ドラムに巻回されたワイヤロープ等の紐状体を上部側に取り付けられた滑車を介して巻回移動し、ワイヤロープ等の紐状体に取り付けられたネット又はシート等の吊張体を空間上部側の斜面又は円弧状に沿って床面側より上昇して吊張移動する及び空間上部側より床面側に収納移動する巻取方式のウインチを用いたネット又はシート等の吊張体の吊張及び収納移動システムにおいて、空間上部側の傾斜又は円弧状に応じてウインチを制御した状態で駆動し、ネット又はシート等の吊張体の上端側に複数に分割された連結具を取り付け、連結具の間を調整用ワイヤーで長さ調整可能に連結しワイヤロープ等の紐状体を上端側に移動することで隣り合う各連結具間の距離を拡開して調整するとともに、該ネット又はシート等の吊張体の上端側に沿って設けられた別体のワイヤロープ等の紐状体を側面側に引っ張って広げながら吊張移動し及び隣り合う各連結具間の距離を縮閉して調整しながらネット又はシート等の吊張体を収納移動することを特徴とする巻取方式のウインチを用いたネット又はシート等の吊張体の吊張及び収納移動システム。
【手続補正２】
【補正対象書類名】明細書
【補正対象項目名】００１４
【補正方法】変更
【補正の内容】
【００１４】そこで、本発明は、空間部の上部側が傾斜又は円弧状である場合に最適にネット又はシート等の吊張体を吊り張り移動、及び収納移動することができ、さらに、空間部に適切に広げて吊り張りすることができる巻取方式のウインチを用いたネット又はシート等の吊張体の吊張及び収納移動システムを提供することを課題とする。
【手続補正３】
【補正対象書類名】明細書
【補正対象項目名】００１５
【補正方法】変更
【補正の内容】
【００１５】本発明は上記課題を解決するために巻取方式のウインチを用いたネット又はシート等の吊張体の移動システムの第１の解決手段は、請求項１に記載のように、空間部の上端側位置に所望の間隔を空けて設置された複数台の巻取方式のウインチの巻回ドラムを回転駆動し、巻回ドラムに巻回されたワイヤロープ等の紐状体を上部側に取り付けられた滑車を介して巻回移動し、ワイヤロープ等の紐状体に取り付けられたネット又はシート等の吊張体を空間上部側の傾斜又は円弧状に沿って床面側より上昇して吊張移動する及び空間上部側より床面側に収納移動する巻取方式のウインチを用いたネット又はシート等の吊張体の吊張及び収納移動システムにおいて、空間上部側の傾斜又は円弧状に応じてウインチを制御した状態で駆動しネット又はシート等の吊張体の上端側の隣り合うワイヤロープ等の紐状体の間で吊張体の上端側を拡開調整するとともにネット又はシート等の吊張体の側面側を別体のワイヤロープ等の紐状体に沿って広げながら吊張移動し及びネット又はシート等の吊張体の上端側を隣り合うワイヤロープ等の紐状体の間で吊張体の上端側を縮閉調整してネット又はシート等の吊張体を収納移動することを特徴とする。
【手続補正４】
【補正対象書類名】明細書
【補正対象項目名】００１６
【補正方法】変更
【補正の内容】
【００１６】上記課題を解決するための巻取方式のウインチを用いたネット又はシート等の吊張体の移動システムの第２の解決手段は、請求項２に記載のように、空間部の上端側位置に所望の間隔を空けて設置された複数台の巻取方式のウインチの巻回ドラムを回転駆動し、巻回ドラムに巻回されたワイヤロープ等の紐状体を上部側に取り付けられた滑車を介して巻回移動し、ワイヤロープ等の紐状体に取り付けられたネット又はシート等の吊張体を空間上部側の傾斜又は円弧状に沿って床面側より上昇して吊張移動する及び空間上部側より床面側に収納移動する巻取方式のウインチを用いたネット又はシート等の吊張体の吊張及び収納移動システムにおいて、空間上部側の傾斜又は円弧状に応じてウインチを制御した状態で駆動し、ネット又はシート等の吊張体の上端側に複数に分割された連結具を取り付け、連結具の間を調整用ワイヤーで長さ調整可能に連結しワイヤロープ等の紐状体を上端側に移動することで隣り合う各連結具間の距離を拡開して調整するとともに、該ネット又はシート等の吊張体の上端側に沿って設けられた別体のワイヤロープ等の紐状体を側面側に引っ張って広げながら吊張移動し及び隣り合う各連結具間の距離を縮閉して調整しながらネット又はシート等の吊張体を収納移動することを特徴とする。
【手続補正５】
【補正対象書類名】明細書
【補正対象項目名】００１７
【補正方法】変更
【補正の内容】
【００１７】次に、本発明の巻取方式のウインチを用いたネット又はシート等の吊張体の吊張及び収納移動システムの作用及び効果について記載する。
【手続補正６】
【補正対象書類名】明細書
【補正対象項目名】００１８
【補正方法】変更
【補正の内容】
【００１８】先ず、請求項１の吊張及び収納移動システムは、上部側が傾斜又は円弧状の空間部に複数台の巻取方式のウインチの間隔を設けて設置し、その後各巻取方式のウインチの巻回ドラムをそれぞれ制御した状態で回転駆動して巻回ドラムより上部側に取り付けられた滑車を介してワイヤロープ等の紐状体を上方側より床面下方側へ下降すべく引き出し移動して、隣り合う各ワイヤロープ等の紐状体間のネット又はシート等の吊張体の上端側を所望の長さを調整して取り付ける。
【手続補正７】
【補正対象書類名】明細書
【補正対象項目名】００２４
【補正方法】変更
【補正の内容】
【００２４】次に請求項２の吊張及び収納移動システムについて説明する。該システムは、上部側が傾斜又は円弧状の空間上部側に複数台の巻取方式のウインチを間隔を設けて設置し、その後各巻取方式のウインチの巻回ドラムをそれぞれ制御した状態で回転駆動して上部側に取り付けられた滑車を介して巻回ドラムよりワイヤロープ等の紐状体を上方側より床面下方側へ下降すべく引き出し移動して、隣り合う各ワイヤロープ等の紐状体間に上端側を複数に分割された連結具の間に設けられた調整用ワイヤーを介してネット又はシート等の吊張体の上端部を取り付ける。
【手続補正８】
【補正対象書類名】明細書
【補正対象項目名】００２７
【補正方法】変更
【補正の内容】
【００２７】この際、ネット又はシート等の吊張体の上端側は隣り合う各ワイヤロープ等の紐状体間のネット又はシート等の吊張体間を連結具の間の調整用ワイヤーで長さ調整しながら拡開調整しながら傾斜又は円弧状部分に沿って吊り張りすることができる。
【手続補正９】
【補正対象書類名】明細書
【補正対象項目名】００３０
【補正方法】変更
【補正の内容】
【００３０】この際、ネット又はシート等の吊張体の上端側の隣り合う各ワイヤロープ等の紐状体間は調整用ワイヤーで長さ調整しながら連結具間を縮閉調整しネット又はシート等の吊張体の上端側の連結具を水平状態にしてネット又はシート等の吊張体を略水平状態として、スムーズに下方側へ移動し、ワイヤロープ等の紐状体より取り外すことで、ネット又はシート等の吊張体を収納することができる。